(57)【特許請求の範囲】
【請求項１】
粉体が充填され排出口を下方にして吊り下げられた柔軟な袋体であるフレコンバッグの底部の周縁を、個々に昇降作動を可能に分割支持する複数個の受台と、
フレコンバッグの排出口とその下方に設置したシュートとを、分離可能に密封状態で連結する連結手段と、
シュートの下部に設置され粉体排出先への粉体の排出を開閉する開閉弁と、
連結手段と開閉弁の間のシュートに設けられ、通気可能な多孔板によって開閉可能に閉じられた空気口と、
この空気口を通して断続可能に、シュート内に加圧空気を供給あるいはシュート内空気を吸引する空気給排手段と、を備え、
フレコンバッグの粉体排出の際は、フレコンバッグを支持する複数個の受台を同時にあるいは交互に昇降させフレコンバッグを変形させて排出を促進し、
粉体排出後の袋内の洗浄の際は、開閉弁を閉じ、空気口を通して空気給排手段により空気を給排し繰返しフレコンバッグを膨張・収縮させて残粉を落とし洗浄する、
ことを特徴とするフレコンバッグの排出・洗浄装置。
【請求項２】
底部の周縁を外側から斜め上内方に伸縮作動を可能に押し上げる、受台それぞれに隣接し設置された複数個のプッシャーを備え、
フレコンバッグの粉体排出の際、複数個のプッシャーを単独で、あるいは交互に、あるいは同時に伸縮させてフレコンバッグを部分的に上げ下げ変形させ排出を促進させる、
ことを特徴とする請求項１記載のフレコンバッグの排出・洗浄装置。
【請求項３】
粉体排出の際、所定の残量値まで排出したら、開閉弁を閉じ、空気口を通して空気給排手段により空気を給排し繰返しフレコンバッグを膨張・収縮させて粉体を落下させ排出を促進させる、
ことを特徴とする請求項１または２記載のフレコンバッグの排出・洗浄装置。
【請求項４】
空気給排手段が、
加圧空気を断続可能に供給する加圧空気供給源と、
空気を断続可能に吸引し排出する吸引源としての集塵機と、を備えている、
ことを特徴とする請求項１から３までのいずれかに記載のフレコンバッグの排出・洗浄装置。
【請求項５】
空気口を閉じる多孔板が、開閉を可能に設置され、
フレコンバッグ内に空気を給排し繰返しフレコンバッグを膨張・収縮させる洗浄の際には「開」状態に位置づける、
ことを特徴とする請求項１から４までのいずれかに記載のフレコンバッグの排出・洗浄装置。
【発明の詳細な説明】
【技術分野】
【０００１】
本発明は、フレコンバッグに入った粉体の排出および排出した後のフレコンバッグ内の洗浄を能率よく行なうことができる、フレコンバッグの排出・洗浄装置に関する。
【背景技術】
【０００２】
柔軟な袋体であるフレコンバッグに入った粉体の排出は、作業員がフレコンバッグをホイストなどで吊り下げ、下部の排出口を開け、ホイストを操作し適宜に上下させ、受け容器に粉体を落下させている（例えば、特許文献１参照）。このとき、粉体を入れる前の空のフレコンバッグ保管時などにできた折れ目、しわなどに、入ったあるいは捉えられた粉体は、完全に排出できないので、作業員がフレコンバッグを叩くなど衝撃を加え落下させている。
【０００３】
粉体を排出した後の空のフレコンバッグ処理においては、潰す、畳むなどの際に、残った粉体がフレコンバッグ内の空気とともに飛び出し粉塵を発生させ、処理を難しくするとともに作業環境を汚すことがある。フレコンバッグに残った粉体を清掃する洗浄装置が開発されている（例えば、前記特許文献１参照）。この装置は、作業員がフレコンバッグに排出口を通して空気ノズルを挿入し、空気の吹き込みおよび吸い出しによってフレコンバッグを膨張・収縮させ、折り目、しわなどに入った粉体を分離させ、清掃する。
【０００４】
上述の従来のフレコンバッグの排出・洗浄装置には、次のとおりの改善の望まれている課題がある。
【０００５】
（１）粉体排出時、排出促進のための、フレコンバッグの上げ下げ、打撃に作業員が必要である。
（２）粉体の排出に応じてフレコンバッグが収縮変形するので、排出が円滑でない。
（３）フレコンバッグを洗浄するには、空気ノズルの挿入などの作業員によるセットアップが必要である。
【先行技術文献】
【特許文献】
【０００６】
【特許文献１】特開２００４−１７４３３９号公報（図３）
【発明の概要】
【発明が解決しようとする課題】
【０００７】
本発明は上記事実に鑑みてなされたもので、その技術的課題は、フレコンバッグから粉体を排出する際の、作業員によるフレコンバッグの上げ下げ、打撃を不要にし、また粉体排出途中のフレコンバッグの変形による排出が円滑でない不具合を除き、またフレコンバッグの洗浄を排出作業とともに能率よく行えるようにし、さらに粉体の排出・洗浄の際の粉塵の飛散を防止できるようにし、フレコンバッグの排出・洗浄を能率よく行なえるようにした、フレコンバッグの排出・洗浄装置を提供することである。
【課題を解決するための手段】
【０００８】
本発明によれば上記技術的課題を解決するフレコンバッグの排出・洗浄装置として、粉体が充填され排出口を下方にして吊り下げられた柔軟な袋体であるフレコンバッグの底部の周縁を、個々に昇降作動を可能に分割支持する複数個の受台と、フレコンバッグの排出口とその下方に設置したシュートとを、分離可能に密封状態で連結する連結手段と、シュートの下部に設置され粉体排出先への粉体の排出を開閉する開閉弁と、連結手段と開閉弁の間のシュートに設けられ、通気可能な多孔板によって開閉可能に閉じられた空気口と、この空気口を通して断続可能に、シュート内に加圧空気を供給あるいはシュート内空気を吸引する空気給排手段と、を備え、フレコンバッグの粉体排出の際は、フレコンバッグを支持する複数個の受台を同時にあるいは交互に昇降させフレコンバッグを変形させて排出を促進し、粉体排出後の袋内の洗浄の際は、開閉弁を閉じ、空気口を通して空気給排手段により空気を給排し繰返しフレコンバッグを膨張・収縮させて残粉を落とし洗浄する、ことを特徴とするフレコンバッグの排出・洗浄装置が提供される。
【０００９】
好適には、底部の周縁を外側から斜め上内方に伸縮作動を可能に押し上げる、受台それぞれに隣接し設置された複数個のプッシャーを備え、フレコンバッグの粉体排出の際、複数個のプッシャーを単独で、あるいは交互に、あるいは同時に伸縮させてフレコンバッグを部分的に上げ下げ変形させ排出を促進させる。
【００１０】
また、粉体排出の際、所定の残量値まで排出したら、開閉弁を閉じ、空気口を通して空気給排手段により空気を給排し繰返しフレコンバッグを膨張・収縮させて粉体を落下させ排出を促進させる。
【００１１】
そして、空気給排手段は、加圧空気を断続可能に供給する加圧空気供給源と、空気を断続可能に吸引し排出する吸引源としての集塵機と、を備えている。
【００１２】
また、空気口を閉じる多孔板が、開閉を可能に設置され、フレコンバッグ内に空気を給排し繰返しフレコンバッグを膨張・収縮させる洗浄の際には「開」状態に位置づける。
【発明の効果】
【００１３】
本発明に従って構成されたフレコンバッグの排出・洗浄装置は、フレコンバッグの底部の周縁を、個々に昇降作動を可能に分割支持する複数個の受台と、フレコンバッグの排出口を下方のシュートに分離可能に密封状態で連結する連結手段と、粉体排出先への粉体の排出を開閉する開閉弁と、シュートに設けられ、通気可能な多孔板によって開閉可能に閉じられた空気口と、この空気口を通して断続可能に、シュート内に加圧空気を供給あるいはシュート内空気を吸引する空気給排手段と、を備え、粉体排出の際は、フレコンバッグを支持する複数個の受台を同時にあるいは交互に昇降させフレコンバッグを変形させて排出を促進し、袋内の洗浄の際は、開閉弁を閉じ、空気口を通して空気給排手段により空気を給排し繰返しフレコンバッグを膨張・収縮させて残粉を落とし洗浄する。
【００１４】
したがって、フレコンバッグから粉体を排出する際の、作業員によるフレコンバッグの上げ下げ、打撃を不要にし、また粉体排出途中のフレコンバッグの変形による排出が円滑でない不具合を除き、またフレコンバッグの洗浄を排出作業とともに能率よく行えるようにし、さらに粉体の排出・洗浄の際の粉塵の飛散を防止できるようにし、フレコンバッグの排出・洗浄を能率よく行なえるようにした、フレコンバッグの排出・洗浄装置を提供することができる。
【図面の簡単な説明】
【００１５】
【図１】本発明に従って構成されたフレコンバッグの排出・洗浄装置の構成説明側面図。
【図２】図１のＡ−Ａ矢印方向に受台の部分を見た平面図。
【図３】図１の空気給排手段の部分の拡大図。
【図４】典型的なフレコンバッグの斜視図。
【図５】受台の作用説明図。
【図６】プッシャーの作用説明図。
【発明を実施するための形態】
【００１６】
以下、本発明に従って構成されたフレコンバッグの排出・洗浄装置について、好適実施形態を図示している添付図面を参照して、さらに詳細に説明する。
【００１７】
先ずフレコンバッグについて図４を参照して説明する。典型的なフレコンバッグ２は、円筒状の本体２ａの上部に粉体の注入口２ｂ、下部に排出口２ｃを備えている。注入口２ｂには注入口縛りテープ２ｄ、排出口２ｃには排出口縛りテープ２ｅがそれぞれ備えられ、さらに縛られた注入口２ｂを押さえる縛りロープ付き押さえ布２ｆ、縛られた排出口２ｃを押さえる絞りロープ付き押さえ布２ｇがそれぞれ備えられている。
【００１８】
フレコンバッグ２は、収容する粉体の種類、性状などに応じて、布、合成ゴム、樹脂などの適宜な材料によって形成されている。本体２ａの上部にはフレコンバッグ２を吊るための吊りロープ２ｈが２個所に備えられている。
【００１９】
図１および図２を参照して説明する。フレコンバッグの排出・洗浄装置４は、粉体が充填され排出口２ｃを下方にして吊り下げられたフレコンバッグ２の底部の周縁を、個々に昇降作動を可能に分割支持する複数個（実施例は４個）の受台６と、フレコンバッグ２の排出口２ｃとその下方に設置したシュート８とを、分離可能に密封状態で連結する連結手段としてのインフレートシール１０と、シュート８の下部に設置され粉体排出先としてのホッパ１２への粉体の排出を開閉する開閉弁としてのバタフライ弁１４と、インフレートシール１０とバタフライ弁１４の間のシュート８に設けられ、通気可能な多孔板１６によって閉じられた空気口１８と、この空気口１８を通して断続可能に、シュート８内に加圧空気を供給あるいはシュート内空気を吸引する空気給排手段２０を備えている。
【００２０】
粉体の入ったフレコンバッグ２は、その吊りロープ２ｈがホイスト２２の吊金具２４に掛けられて吊り下げられ、同じ高さに降ろされた４個の受台６（実線で示す）の上に載置される。
【００２１】
受台６は、フレコンバッグ２の底部の周縁を等間隔（実施例は９０°間隔）で支持し、上方をフレコンバッグ２の外方に略４５°傾けた矩形の受板６ａと、受板６ａを鉛直方向に昇降させる空圧シリンダ６ｂを備えている。受板６ａは空圧シリンダ６ｂによって実線で示す「降位置」と二点鎖線で示す「昇位置」の間を昇降作動する。受板６ａには、後に述べるプッシャー２６の押板２６ａおよび押板２６ａを取付けた空圧シリンダ２６ｂのロッドを通す開口６ｃが形成されている。
【００２２】
フレコンバッグ２の粉体を排出する際は、フレコンバッグ２を支持する複数個の受台６を同時にあるいは交互に昇降させフレコンバッグ２を変形させて粉体の排出を促進させる（この作用については後に詳述する）。
【００２３】
排出・洗浄装置４は、フレコンバッグ２の底部の周縁を外側から斜め上内方に略４５°の角度で伸縮作動を可能に押し上げる、受台６それぞれに隣接し設置された、複数個（実施例は４個）のプッシャー２６を備えている。プッシャー２６は、「降位置」の受台６の開口６ｃを通る押板２６ａをシリンダロッドの先端に取付けた空圧シリンダ２６ｂを備えている。押板２６ａは、空圧シリンダ２６ｂ収縮状態のフレコンバッグ２を押上げない状態においては、受台６の昇降を邪魔しないように受台６の下に位置している。
【００２４】
フレコンバッグ２の粉体を排出する際、「降位置」の受台６に隣接した複数個のプッシャー２６を単独で、あるいは交互に、あるいは同時に伸縮させてフレコンバッグ２を部分的に上げ下げ変形させて排出を促進させる（この作用については後に詳述する）。
【００２５】
インフレートシール１０は、シュート８の上端円筒部に被せたフレコンバッグ２の排出口２ｃの外周を加圧空気の供給によって締め付け、シュート８とフレコンバッグ２の排出口２ｃを密封状態に連結し、空気を抜くことにより密封連結を分離自在に解除する。インフレートシール１０は周知のものであるので、詳細な説明は省略する。
【００２６】
バタフライ弁１４は、弁板１４ａを取付けた弁軸を空圧シリンダ１４ｂによって回動させ開閉する周知の開閉弁である。したがってその詳細な説明は省略する。
【００２７】
図１とともに図３、主として図３を参照して説明する。空気口１８を閉じる多孔板１６は、微細孔を明けた多数の極薄の、例えばステンレス鋼板を、単体あるいは複数枚重ねて形成した周知の、一種のフィルターであり、空気は通過させるが、シュート８内の粉体の通過は阻止する。多孔板１６は、空気口１８の外側の空気給排ケース２８内に、外部の空圧シリンダ３０によって空気口１８を開閉可能に設置されている。多孔板１６は、フレコンバッグ２の粉体をホッパ１２に排出する際は閉じられ、フレコンバッグ２を膨張・収縮させて洗浄する際は、空圧シリンダ３０を縮めて空気口１８を開けた「開状態」（図３の状態）に位置づけられる。
【００２８】
図１に戻って説明を続ける。空気給排手段２０は、加圧空気を断続可能に供給する加圧空気供給源２０ａと、空気を断続可能に吸引し排出する吸引源としての集塵機２０ｂを備えている。加圧空気供給源２０ａは、周知の送風機であるブロワーを備え、空気給排ケース２８の多孔板１６の周りの複数個所にホース管路によって連結されている。集塵機２０ｂは粉塵を吸引する周知のもので、空気給排ケース２８に開閉弁２０ｃを介してホース管路により連結されている。
【００２９】
また、粉体排出の際、所定量の残量値まで排出されたら、例えばホッパ１２の重量を計る台秤（図示していない）によって計測されたら、バタフライ弁１４を閉じ、多孔板１６閉じ状態の空気口１８を通して空気給排手段２０により空気を給排し繰返しフレコンバッグ２を膨張・収縮させて粉体を落下させ排出を促進させる（これらの作用については後に詳述する）。
【００３０】
なお、粉体排出後のフレコンバッグ２洗浄の際は、バタフライ弁１４を閉じ、多孔板１６で閉じられた空気口１８を開け、空気給排手段２０により、空気のシュート８内への供給、シュート８内の空気の吸引排出を繰返し、フレコンバッ２を膨張・収縮させフレコンバッグ２内の残粉を落とし、洗浄する（これらの作用については後に詳述する）。
【００３１】
次に、フレコンバッグの排出・洗浄装置４によるフレコンバッグ２の排出作業について、図１、図２とともに図４〜図６を参照して説明する。
【００３２】
（１）フレコンバッグ載置
粉体の入ったフレコンバッグ２を、吊りロープ２ｈをホイスト２２の吊金具２４に掛けて吊り下げ、「降位置」の複数個の受台６の上に降ろして載せ、ホイスト２２による吊り下はこの状態に保持する。バタフライ弁１４は閉じ状態に、空気口１８の多孔板１６は閉じ状態にしておく。
【００３３】
（２）フレコンバッグ連結
フレコンバッグ２の排出口縛りテープ２ｅで閉じた排出口２ｃをシュート８の上端円筒部に被せ、排出口２ｃの外周をインフレートシール１０によって締め付け、シュート８とフレコンバッグ２を密封状態に連結する。
【００３４】
（３）粉体排出準備
排出口縛りテープ２ｅを解き、フレコンバッグ２の粉体をシュート８に落として、フレコンバッグ２内とシュート８内を連通させる。
【００３５】
（４）粉体排出
バタフライ弁１４を開け、下方のホッパ１２に粉体を排出する。規定量の粉体の排出がホッパ１２の重量を計る台秤（図示していない）により計測されたら、バタフライ弁１４を閉じる。
【００３６】
（５）排出促進１：受台
フレコンバッグ２を支持する複数個（４個）の受台６を同時にあるいは交互に複数回昇降させ、フレコンバッグ２を変形させて排出を促進する。例えば、図５に示すように、４個の受台の内、対向した一対の受台６，６を「昇位置」にし、他の一対の受台６，６を「降位置」にする。
【００３７】
（６）排出促進２：プッシャー
必要に応じて、図６に示すように、「降位置」の受台６に隣接した複数個（４個）のプッシャー２６を、受台６の受板６ａの開口６ｃを通して、単独で、あるいは交互に、あるいは同時に伸縮させて、フレコンバッグ２を部分的に上げ下げ変形させ、排出を促進させる。
【００３８】
（７）排出促進３：空気給排手段
必要に応じて、例えば粉体の排出に応じてフレコンバッグ２が収縮変形し排出が円滑でなくなるので、所定の残量値まで排出したら、バタフライ弁１４を閉じ、多孔板１６で閉じられた空気口１８を通して空気給排手段２０により空気を給排し繰返しフレコンバッグ２を膨張・収縮させ粉体を落下させ排出を促進させる。
【００３９】
（８）上述の排出促進１：受台、２：プッシャー、３：空気給排手段は、粉体のホッパ１２への排出の良し悪しを、粉体を受け入れるホッパ１２の重量を計る台秤（図示していない）によってモニターすることによって実行される。
【００４０】
次に、フレコンバッグの排出・洗浄装置４によるフレコンバッグ２の洗浄作業について、図１を参照して説明する。
【００４１】
（１）粉体排出後のフレコンバッグ２洗浄の際は、バタフライ弁１４を閉じ、多孔板１６で閉じられた空気口１８を開けた状態（図３）にする。
【００４２】
（２）空気給排手段２０によって、空気口１８を通して、加圧空気供給源２０ａによる空気の供給、集塵機２０ｂによるシュート８内の空気の吸引を繰返し、フレコンバッグ２を膨張・収縮させ、フレコンバッグ２内の残粉を落とし、洗浄する。
【００４３】
上述したとおりのフレコンバッグの排出・洗浄装置４の作用効果について説明する。
【００４４】
フレコンバッグの排出・洗浄装置４は、フレコンバッグ２の底部の周縁を、個々に昇降作動を可能に分割支持する複数個の受台６と、フレコンバッグ２の排出口２ｃを下方のシュート８に分離可能に密封状態で連結する連結手段１０と、粉体排出先１２への粉体の排出を開閉する開閉弁１４と、シュート８に設けられ、通気可能な多孔板１６によって閉じられた空気口１８と、この空気口１８を通して断続を可能に、シュート８内に加圧空気を供給あるいはシュート内空気を吸引する空気給排手段２０と、を備え、粉体排出の際は、フレコンバッグ２を支持する複数個の受台６を同時にあるいは交互に昇降させフレコンバッグ２を変形させて排出を促進し、袋内の洗浄の際は、開閉弁１４を閉じ、空気口１８を通して空気給排手段２０により空気を給排し繰返しフレコンバッグ２を膨張・収縮させて残粉を落とし洗浄する。
【００４５】
したがって、フレコンバッグから粉体を排出する際の、作業員によるフレコンバッグの上げ下げ、打撃を不要にし、また粉体排出途中のフレコンバッグの変形による排出が円滑でない不具合を除き、またフレコンバッグの洗浄を排出作業とともに能率よく行えるようにし、さらに粉体の排出・洗浄の際の粉塵の飛散を防止できるようにし、フレコンバッグの排出・洗浄を能率よく行なえるようにした、フレコンバッグの排出・洗浄装置を提供することができる。
【００４６】
このフレコンバッグの排出・洗浄装置４は、排出・洗浄作業中に、粉体の入った、あるいは粉体を排出したフレコンバッグ２を、複数個の受台６によって、しっかりと安定した状態に保持することができる。
【００４７】
またフレコンバッグの排出・洗浄装置４は、底部の周縁を外側から斜め上内方に伸縮作動を可能に押し上げる、受台それぞれに隣接し設置された複数個のプッシャーを備え、フレコンバッグの粉体排出の際、複数個のプッシャーを単独で、あるいは交互に、あるいは同時に伸縮させてフレコンバッグを部分的に上げ下げ変形させ排出を促進させる。
【００４８】
したがって、必要に応じて、「降位置」の受台６に隣接したプッシャー２６を、単独で、あるいは交互に、あるいは同時に伸縮させて、フレコンバッグ２を部分的に上げ下げ変形させ、排出を促進させることができる。特に排出の悪い粉体を確実に排出することができる。
【００４９】
また、粉体排出の際、所定の残量値まで排出したら、開閉弁であるバタフライ弁１４を閉じ、空気口１８を通して空気給排手段２０により空気を給排し繰返しフレコンバッグ２を膨張・収縮させて粉体を落下させ排出を促進させることができる。
【００５０】
そして、空気給排手段２０は、加圧空気を断続可能に供給する加圧空気供給源２０ａと、空気を断続可能に吸引し排出する吸引源としての集塵機２０ｂと、を備えている。したがって、加圧空気供給源２０ａによって加圧空気を供給するとともに、集塵機２０ｂによって粉塵を発生させることなくフレコンバッグ２内の空気を吸引排出することができる。
【００５１】
また、空気口１８を閉じる多孔板１６が、開閉を可能に設置され、フレコンバッグ２内に空気を給排し繰返しフレコンバッグ２を膨張・収縮させる洗浄の際には「開」状態に位置づける。したがって、洗浄の際には「開状態」の空気口１８を通して十分な空気が給排され、洗浄を効果的に促進することができる。
【００５２】
なお、前記の空気給排手段による排出促進の際には、空気口１８は多孔板１６によって閉じられているので、空気口１８を通して粉体が漏れるのが防止される。
【００５３】
以上、本発明を実施例に基づいて詳細に説明したが、本発明は上記の実施例に限定されるものではなく、例えば下記のように、本発明の範囲内においてさまざまな変形あるいは修正ができるものである。
【００５４】
本発明の実施例においては、フレコンバッグ２には粉体が充填されているが、このフレコンバッグの排出・洗浄装置４は、粉体として類似の「粒体」、「微細片」などにも適用することができる。
【００５５】
本発明の実施例においては、複数個の受台６として受台６が４個、複数個のプッシャー２６としてプッシャー２６が４個備えられているが、個数はフレコンバッグ２の大きさ、重さ、充填粉体の種類などに応じて増減すればよい。
【符号の説明】
【００５６】
２：フレコンバッグ
２ｃ：排出口
４：フレコンバッグの排出・洗浄装置
６：受台
８：シュート
１０：インフレートシール（連結手段）
１２：ホッパ（粉体排出先）
１４：バタフライ弁（開閉弁）
１６：多孔板
１８：空気口
２０：空気給排手段
２０ａ：加圧空気供給源
２０ｂ：集塵機
２６：プッシャー
【図１】
0006411787.tif 000002
【図２】
0006411787.tif 000003
【図３】
0006411787.tif 000004
【図４】
0006411787.tif 000005
【図５】
0006411787.tif 000006
【図６】
0006411787.tif 000007